(57)【要約】      （修正有）【課題】和服を洋服の場合と同様、クローゼットに吊下げて保管したり、或いは和服展示会の展示用としても供し得る和服用ハンガーの提供。【解決手段】フック部６の下方に、帯掛け部４を備えた長形のリング状部片７を横長に形設し、そのリング状部片７の一方端縁には、棒状片８を垂設すると共に、棒状片８の中間部位には、身頃掛け部３を、また棒状片８の末端には、一定間隔を介して同一方向に連設される平行な二本の袖掛け部１、２を、夫々形成した和服用ハンガーを特徴としており、またフック部６の下方に、横長に形設されたリング状部片７内には、稍々短尺な棒状を呈する小物掛け部５を、端縁から水平方向に形成した。【選択図】図１
0003122062.tif 000002
【実用新案登録請求の範囲】
【請求項１】
フック部（６）の下方に、帯掛け部（４）を備えた長形のリング状部片（７）を横長に形設し、そのリング状部片（７）の一方端縁には、棒状片（８）を垂設すると共に、該棒状片（８）の中間部位には、身頃掛け部（３）を、また棒状片（８）の末端には、一定間隔を介して同一方向に連設される平行な二本の袖掛け部（１）、（２）を、夫々形成したことを特徴とする和服用ハンガー。
【請求項２】
フック部（６）の下方に、横長に形設されたリング状部片（７）内には、稍々短尺な棒状を呈する小物掛け部（５）を、端縁から水平方向に形成した請求項１記載の和服用ハンガー。
【考案の詳細な説明】
【技術分野】
【０００１】
この考案は、長着等所望の和服を洋服の場合と同様、クローゼットに吊下げて保管したり、或いは和服展示会の展示用としても供し得る和服用ハンガーに関する。
【背景技術】
【０００２】
従来より長着等の和服は、これを折畳んで和服用箪笥内に収納するものであるが、この場合一度横に折畳んで収納した際、再度袖を通す機会が少なくなり、気軽に和服を着用出来ないことで、和服離れに拍車が掛かり、且つ和服そのものを所持しないことで、和服用箪笥も不必要となるのであるが、和服の所持枚数が少ない場合、横長ロッドの中間部位にフック用の索条を連結して成る衣紋掛けが用いられ、この場合には両袖が垂れた状態で和服が吊り下げられ、長期に亘り保管した際には、袖部にシワや形崩れが発生する問題点があった。
また、在来周知の肩部が彎曲したハンガーに和服を掛けて吊り下げると、和服そのものが長いために、裾部分が床面に付いて汚れやシワが発生する等、欠陥を有するものであった。このため、和服を短尺化した状態に折曲して、洋服と同様型に吊り下げる方式の和服用ハンガーが提案されている。
【特許文献１】実開平２−１６１７２号公報
【考案の開示】
【考案が解決しようとする課題】
【０００３】
然るにこの考案が茲に開発した和服用ハンガーにあっては、既述従来の欠陥に鑑みて鋭意研究の結果に開発されたものであって、和服を折畳んで横方向に和服箪笥内に収納することなく、洋服と同様にクローゼットや洋服箪笥内に短尺化して吊り下げられ、且つ和服の汚れやシワ発生を未然に阻止し、ハンガーより簡単に係脱自在として、和服着用機会の増加を図り、更には和服をハンガーに吊り下げた状態で、各展示会で場所をとらずに展示することが出来、また和服に合致した帯や小物類を同一ハンガーに吊り下げられ、それ等の紛失や忘失を来たさない和服用ハンガーを提供することを目的とする。
【課題を解決するための手段】
【０００４】
上記した目的を有効に達成するがために、本考案になる和服用ハンガーにあっては、フック部６の下方に、帯掛け部４を備えた長形のリング状部片７を横長に形設し、そのリング状部片７の一方端縁には、棒状片８を垂設すると共に、該棒状片８の中間部位には、身頃掛け部３を、また棒状片８の末端には、一定間隔を介して同一方向に連設される平行な二本の袖掛け部１、２を、夫々形成した和服用ハンガーを特徴としており、またフック部６の下方に、横長に形設されたリング状部片７内には、稍々短尺な棒状を呈する小物掛け部５を、端縁から水平方向に形成した和服用ハンガーを特徴としているものである。
【考案の効果】
【０００５】
本考案によれば、和服を折畳んで横方向に和服用箪笥に収納することなく、洋服と同様にクローゼットや洋服箪笥内に吊り下げられるので、場所をとらず、且つ和服への汚れやシワ発生を未然に阻止出来、ハンガーより簡単に係脱自在とするので、和服の取り出しが容易で、その着用機会が増加する利便があり、更には和服をハンガーに吊り下げた状態で各展示会で場所をとらずに展示することが出来、また和服に合致した帯や小物類を同一のハンガーに夫々吊り下げて供するので、それ等の紛失や忘失を図ることが出来る。
【実施例】
【０００６】
次いでこの考案による和服用ハンガーに関する実施の一例について詳述する。
【０００７】
図１は本考案の全体斜視図であって、上方よりフック部６、リング状部片７、小物掛け部５、帯掛け部４、身頃掛け部３、両袖掛け部１、２並びに棒状片８によって和服用ハンガーに構成されている。
【０００８】
本考案和服用ハンガーの構成部材は、木製、合成樹脂製或いは金属製等所望の部材を適用することが可能であるが、主として金属製のパイプ状部材を溶接等の手法で、連結一体化して組立てた和服用ハンガーが用いられ、必要によって、パイプ部材の外周を滑落防止用のゴム材等でコーティングしたり、また合成樹脂材にて被覆して供することも出来る。
【０００９】
本考案の使用の一例は、所望和服Ａの後身頃を内側に二ツ折りして、和服Ａの両袖部Ｂを合わせて揃え、次いで図２の如く両袖部Ｂを袖畳みのように内側へ折返した後、各袖部Ｂの袖下である袂Ｃ、Ｄに、二本の袖掛け部１、２を夫々挿入とすると共に、和服Ａの身頃を袖掛け部１、２の上方に位置する身頃掛け部３に係止するものである。
【００１０】
斯様にハンガー式に、所望和服Ａが折り畳まれて吊り下げられた後、前記身頃掛け部３の上方に位置するリング状部片７の下方の帯掛け部４に帯Ｅを、更に帯掛け部４の上方に位置する小物掛け部５に帯あげ、細紐その他の和装小物Ｆが吊り下げられるものである。
【００１１】
フック部６の形状は、在来周知されるハンガーのフックと同様、手鉤状、或いは横棒、鉤等に掛止し得るものであれば良い。
【００１２】
フック部６の下方には、丸パイプ、丸棒等を用いた横長の長形のリング状部片７が形成され、そのリング状部片７の下方は所望の帯を吊す帯掛け部４が構成されており、更にリング状部片７内には、稍々短尺とした棒状を呈する和装小物類を掛止する小物掛け部５が、端縁から水平方向に延出形成されいる。
【００１３】
リング状部片７の一方端縁には、丸パイプ、丸棒等の棒状片８を垂設し、該棒状片８の中間部位には、和服を袖畳みした時の横幅より稍々長尺である身頃掛け部３が、前記棒状片８に水平方向に溶着固定されている。
【００１４】
棒状片８の末端には、一定の間隔を介して同一方向に連設される、丸パイプ、丸棒等の平行な二本の袖掛け部１、２が溶接により設けられ、各袖掛け部１、２には、二つの袂を各別に挿入されるものである。この二つの袂を挿入する袖掛け部１、２の間隔は、広くとらずに二つの袂口が挿入し易くするのが好ましい。          
【００１５】
この袖掛け部１、２は、一本のパイプや丸棒を、その中心より折曲して、二本が平行となるように構成し、その折曲部を棒状片８に溶着されている。この袖掛け部１、２の長さは、和服の袖幅と同一位いが適している。
【図面の簡単な説明】
【００１６】
【図１】和服用ハンガーの全体斜視図である。
【図２】和服用ハンガーの使用説明図である。
【図３】和服用ハンガーの使用状態を示す斜視図である。
【符号の説明】
【００１７】
１      袖掛け部
２      袖掛け部
３      身頃掛け部
４      帯掛け部
５      小物掛け部
６      フック部
７      リング状部片
８      棒状片
Ａ      和服
Ｂ      袖部
Ｃ      袂
Ｄ      袂
Ｅ      帯
Ｆ      和装小物
【図１】
0003122062.tif 000003
【図２】
0003122062.tif 000004
【図３】
0003122062.tif 000005